(57)【要約】【課題】蓋体の回動をより確実に制動することができる炊飯器を提供する。【解決手段】本発明に係る炊飯器は、略有底筒状の炊飯器本体と、調理物を収容する鍋と、炊飯器本体の内部に設けられ、鍋を収納する保護枠と、保護枠の上面開口部と炊飯器本体の上面開口部との間を覆うように設けられた上枠と、上枠の後部上方に配置されたヒンジ軸と、ヒンジ軸を中心として回動することにより、炊飯器本体の上面開口部を覆う閉位置と、炊飯器本体の上面開口部を開放する開位置との間で移動可能な蓋体と、閉位置から開位置へ蓋体が回動するように蓋体を付勢する付勢部材と、蓋体が閉位置から開位置へ回動する動作に連動して移動する移動部材と、移動部材の移動経路上に配置され、移動部材の移動を制動する制動部材とを備える。【選択図】図４
2018033608.tif 000002
【特許請求の範囲】
【請求項１】
略有底筒状の炊飯器本体と、
調理物を収容する鍋と、
前記炊飯器本体の内部に設けられ、前記鍋を収納する保護枠と、
前記保護枠の上面開口部と前記炊飯器本体の上面開口部との間を覆うように設けられた上枠と、
前記上枠の後部上方に配置されたヒンジ軸と、
前記ヒンジ軸を中心として回動することにより、前記炊飯器本体の上面開口部を覆う閉位置と、前記炊飯器本体の上面開口部を開放する開位置との間で移動可能な蓋体と、
前記閉位置から前記開位置へ前記蓋体が回動するように前記蓋体を付勢する付勢部材と、
前記蓋体が前記閉位置から前記開位置へ回動する動作に連動して移動する移動部材と、
前記移動部材の移動経路上に配置され、前記移動部材の移動を制動する制動部材と、
を備える、炊飯器。
【請求項２】
前記移動部材は、前記蓋体が前記閉位置から前記開位置へ回動する動作に連動して下方に移動するように構成され、
前記制動部材は、前記移動部材の下方に配置されている、請求項１に記載の炊飯器。
【請求項３】
前記移動部材は、前記蓋体が前記閉位置から前記開位置に向かって第１の角度回動されたとき、前記制動部材に接触するように構成されている、請求項１又は２に記載の炊飯器。
【請求項４】
前記第１の角度は、２０度以上７０度以下の範囲内の角度である、請求項３に記載の炊飯器。
【請求項５】
前記移動部材は、前記蓋体が前記開位置から前記閉位置に向かって第２の角度回動されたとき、前記制動部材から離れるように構成されている、請求項１〜４のいずれか１つに記載の炊飯器。
【請求項６】
前記第２の角度は、２０度以上７０度以下の範囲内の角度である、請求項５に記載の炊飯器。
【請求項７】
更に、前記移動部材を保持する移動部材保持部を備え、
前記移動部材保持部は、前記蓋体に取り付けられるとともに、前記ヒンジ軸の中間部に取り付けられている、請求項１〜６のいずれか１つに記載の炊飯器。
【請求項８】
前記炊飯器本体の内部に設けられ、前記鍋を加熱する加熱装置と、
前記炊飯器本体の後部の内部に設けられ、前記加熱装置の加熱動作を制御する電子部品が実装された制御基板と、
前記炊飯器本体の後部の内面と前記制御基板との間に配置され、前記制動部材を収容する制動部材収容部を有する収容ケースと、
を備え、
前記制動部材は、内部に非圧縮性流体を有し、当該非圧縮性流体の流体抵抗を利用して前記移動部材の移動を制動するように構成され、
前記制動部材収容部には、前記非圧縮性流体が前記制動部材の外部に漏れ出した際に、当該非圧縮性流体を前記炊飯器本体の後部の内面側へ誘導する誘導路が形成されている、
請求項１〜７のいずれか１つに記載の炊飯器。
【請求項９】
前記ヒンジ軸の両端部を回動自在に保持するヒンジ部と、
前記ヒンジ部よりも剛性の高い金属材料で構成され、前記ヒンジ部を補強するヒンジ補強部材と、
を更に備え、
前記収容ケースは、前記ヒンジ補強部材に取り付けられ、
前記ヒンジ補強部材には、前記移動部材を前記制動部材へガイドするガイド部が形成されている、請求項８に記載の炊飯器。
【請求項１０】
前記ヒンジ補強部材は、前記制動部材収容部を下方から支持する補強突起部を有する、請求項９に記載の炊飯器。
【発明の詳細な説明】
【技術分野】
【０００１】
本発明は、蓋体の回動を制動する制動部材を備える炊飯器に関する。
【背景技術】
【０００２】
従来、この種の炊飯器として、例えば、特許文献１（特開２００９−２８５１１２号公報）の炊飯器が知られている。特許文献１には、蓋体が閉位置から開位置までゆっくりと回動するように蓋体の回動を制動するため、蓋体のヒンジ軸の端部に制動部材（オイルダンパ）を取り付けた炊飯器が開示されている。
【先行技術文献】
【特許文献】
【０００３】
【特許文献１】特開２００９−２８５１１２号公報
【発明の概要】
【発明が解決しようとする課題】
【０００４】
近年、炊飯器においては、例えば、被炊飯物を炊飯する炊飯工程において鍋内の圧力を調整したり、鍋内に過熱蒸気を投入したりするなど、被炊飯物の食味を向上させるために、炊飯器に様々な機構が搭載されている。このため、蓋体の内部に配置される部品の点数が増加し、蓋体の重量が重くなる傾向にある。蓋体の重量が重い場合、蓋体を閉位置から開位置へ回動させるように付勢する付勢部材の付勢力をより大きくし、蓋体のヒンジ軸にかかるトルクを大きくする必要がある。
【０００５】
しかしながら、特許文献１のような従来の炊飯器においては、蓋体のヒンジ軸にかかるトルクを大きくした場合、制動部材が蓋体の回動を十分に制動できず、蓋体が急激に回動することが起こり得る。従って、従来の炊飯器においては、蓋体の回動をより確実に制動する観点において、未だ改善の余地がある。
【０００６】
本発明の目的は、前記課題を解決することにあって、蓋体の回動をより確実に制動することができる炊飯器を提供することにある。
【課題を解決するための手段】
【０００７】
前記目的を達成するために、本発明に係る炊飯器は、
略有底筒状の炊飯器本体と、
調理物を収容する鍋と、
前記炊飯器本体の内部に設けられ、前記鍋を収納する保護枠と、
前記保護枠の上面開口部と前記炊飯器本体の上面開口部との間を覆うように設けられた上枠と、
前記上枠の後部上方に配置されたヒンジ軸と、
前記ヒンジ軸を中心として回動することにより、前記炊飯器本体の上面開口部を覆う閉位置と、前記炊飯器本体の上面開口部を開放する開位置との間で移動可能な蓋体と、
前記閉位置から前記開位置へ前記蓋体が回動するように前記蓋体を付勢する付勢部材と、
前記蓋体が前記閉位置から前記開位置へ回動する動作に連動して移動する移動部材と、
前記移動部材の移動経路上に配置され、前記移動部材の移動を制動する制動部材と、
を備えるように構成されている。
【発明の効果】
【０００８】
本発明に係る炊飯器によれば、蓋体の回動をより確実に制動することができる。
【図面の簡単な説明】
【０００９】
【図１】本発明の実施形態に係る炊飯器を前方斜め上方から見た斜視図である。
【図２】図１の炊飯器の断面図である。
【図３】図１の炊飯器の蓋体が開位置に位置する状態を前方斜め上方から見た斜視図である。
【図４】図１の炊飯器を後方斜め上方から見た分解斜視図である。
【図５】移動部材の近傍の構成を示す拡大斜視図である。
【図６】制動部材及び収容ケースを示す斜視図である。
【図７】制動部材と収容ケースとヒンジ補強部材との位置関係を示す分解斜視図である。
【図８】ヒンジカバーを内面側から見た斜視図である。
【図９Ａ】蓋体が閉位置から開位置へ回動する動作に連動して、移動部材が下方に移動する様子を示す斜視図であり、る。
【図９Ｂ】蓋体が閉位置から開位置へ回動する動作に連動して、移動部材が下方に移動する様子を示す斜視図である。
【図９Ｃ】蓋体が閉位置から開位置へ回動する動作に連動して、移動部材が下方に移動する様子を示す斜視図である。
【図１０Ａ】蓋体が閉位置から開位置へ回動する動作に連動して、移動部材が下方に移動する様子を示す一部拡大断面図である。
【図１０Ｂ】蓋体が閉位置から開位置へ回動する動作に連動して、移動部材が下方に移動する様子を示す一部拡大断面図である。
【図１０Ｃ】蓋体が閉位置から開位置へ回動する動作に連動して、移動部材が下方に移動する様子を示す一部拡大断面図である。
【図１１】本発明の第１変形例に係る炊飯器を一部切り欠いて断面で示す側面図である。
【図１２】本発明の第２変形例に係る炊飯器を一部切り欠いて断面で示す側面図である。
【図１３】本発明の第３変形例に係る炊飯器を一部切り欠いて断面で示す側面図である。
【発明を実施するための形態】
【００１０】
（本発明の基礎となった知見）
本発明者らは、蓋体の回動をより確実に制動するために鋭意検討した結果、以下の知見を得た。
【００１１】
特許文献１の炊飯器においては、制動部材を蓋体のヒンジ軸の端部に対して制動部材をヒンジ軸と同軸に取り付け、ヒンジ軸にかかるトルクを制動部材で減衰させるように構成されている。この構成では、ヒンジ軸にかかるトルクを制動部材が直接受けるため、制動部材は非常に大きな制動力を有する必要がある。従来の炊飯器において、制動部材の制動力をより大きくするためには、多くの部品を組合せて構成する必要があり、構成が複雑になるとともに、装置が大型化することになる。
【００１２】
これに対して、本発明者らは、ヒンジ軸にかかるトルクを制動部材が直接受けるのではなく、ヒンジ軸にかかるトルクを制動部材がヒンジ軸から離れた位置で間接的に受けるように構成することで、より小さい制動力で蓋体の回動を制動できることを見出した。具体的には、蓋体が閉位置から開位置へ回動する動作に連動して移動する移動部材を設け、当該移動部材の移動経路上に制動部材を配置することで、制動部材の構成をより簡素化するとともにより小型化できることを見出した。この新規な知見に基づき、本発明者らは以下の発明に至った。
【００１３】
本発明の第１態様によれば、略有底筒状の炊飯器本体と、
調理物を収容する鍋と、
前記炊飯器本体の内部に設けられ、前記鍋を収納する保護枠と、
前記保護枠の上面開口部と前記炊飯器本体の上面開口部との間を覆うように設けられた上枠と、
前記上枠の後部上方に配置されたヒンジ軸と、
前記ヒンジ軸を中心として回動することにより、前記炊飯器本体の上面開口部を覆う閉位置と、前記炊飯器本体の上面開口部を開放する開位置との間で移動可能な蓋体と、
前記閉位置から前記開位置へ前記蓋体が回動するように前記蓋体を付勢する付勢部材と、
前記蓋体が前記閉位置から前記開位置へ回動する動作に連動して移動する移動部材と、
前記移動部材の移動経路上に配置され、前記移動部材の移動を制動する制動部材と、
を備える、炊飯器を提供する。
【００１４】
本発明の第２態様によれば、前記移動部材は、前記蓋体が前記閉位置から前記開位置へ回動する動作に連動して下方に移動するように構成され、
前記制動部材は、前記移動部材の下方に配置されている、第１態様に記載の炊飯器を提供する。
【００１５】
本発明の第３態様によれば、前記移動部材は、前記蓋体が前記閉位置から前記開位置に向かって第１の角度回動されたとき、前記制動部材に接触するように構成されている、第１又は２態様に記載の炊飯器を提供する。
【００１６】
本発明の第４態様によれば、前記第１の角度は、２０度以上７０度以下の範囲内の角度である、第３態様に記載の炊飯器を提供する。
【００１７】
本発明の第５態様によれば、前記移動部材は、前記蓋体が前記開位置から前記閉位置に向かって第２の角度回動されたとき、前記制動部材から離れるように構成されている、第１〜４態様のいずれか１つに記載の炊飯器を提供する。
【００１８】
本発明の第６態様によれば、前記第２の角度は、２０度以上７０度以下の範囲内の角度である、第５態様に記載の炊飯器を提供する。
【００１９】
本発明の第７態様によれば、更に、前記移動部材を保持する移動部材保持部を備え、
前記移動部材保持部は、前記蓋体に取り付けられるとともに、前記ヒンジ軸の中間部に取り付けられている、第１〜６態様のいずれか１つに記載の炊飯器を提供する。
【００２０】
本発明の第８態様によれば、前記炊飯器本体の内部に設けられ、前記鍋を加熱する加熱装置と、
前記炊飯器本体の後部の内部に設けられ、前記加熱装置の加熱動作を制御する電子部品が実装された制御基板と、
前記炊飯器本体の後部の内面と前記制御基板との間に配置され、前記制動部材を収容する制動部材収容部を有する収容ケースと、
を備え、
前記制動部材は、内部に非圧縮性流体を有し、当該非圧縮性流体の流体抵抗を利用して前記移動部材の移動を制動するように構成され、
前記制動部材収容部には、前記非圧縮性流体が前記制動部材の外部に漏れ出した際に、当該非圧縮性流体を前記炊飯器本体の後部の内面側へ誘導する誘導路が形成されている、
第１〜７態様のいずれか１つに記載の炊飯器を提供する。
【００２１】
本発明の第９態様によれば、前記ヒンジ軸の両端部を回動自在に保持するヒンジ部と、
前記ヒンジ部よりも剛性の高い金属材料で構成され、前記ヒンジ部を補強するヒンジ補強部材と、
を更に備え、
前記収容ケースは、前記ヒンジ補強部材に取り付けられ、
前記ヒンジ補強部材には、前記移動部材を前記制動部材へガイドするガイド部が形成されている、第８態様に記載の炊飯器を提供する。
【００２２】
本発明の第１０態様によれば、前記ヒンジ補強部材は、前記制動部材収容部を下方から支持する補強突起部を有する、第９態様に記載の炊飯器を提供する。
【００２３】
以下、本発明の実施形態について、図面を参照しながら説明する。なお、この実施形態によって本発明が限定されるものではない。
【００２４】
また、以下では、説明の便宜上、通常使用時の状態を想定して「上」、「下」、「横」、「前」、「後」等の方向を示す用語を用いるが、本発明の炊飯器の使用状態等を限定することを意味するものではない。
【００２５】
《実施形態》
図１及び図２を参照しつつ、本発明の実施形態に係る炊飯器について説明する。図１は、本発明の実施形態に係る炊飯器を前方斜め上方から見た斜視図である。図２は、図１の炊飯器の断面図である。本実施形態に係る炊飯器は、炊飯時に鍋内の圧力を大気圧以上の加圧状態（例えば、１．２気圧程度）にして炊飯する圧力式炊飯器である。
【００２６】
図１及び図２に示すように、本実施形態に係る炊飯器は、略有底筒状の炊飯器本体１と、炊飯器本体１の上面開口部を開閉自在に覆う蓋体２とを備えている。図１は、蓋体２が炊飯器本体１の上面開口部を覆う開位置に位置する状態を示している。
【００２７】
蓋体２の上面には、炊飯コース、炊飯時間などの各種情報を表示する液晶ディスプレイなどの表示部３と、白米コースや玄米コース、白米（柔らかめ）コースなどの複数の炊飯コースの中から特定の炊飯コースを選択可能な操作部４とが設けられている。操作部４は、炊飯コースの選択の他、炊飯の開始、取り消し、予約などの実行を指示できるように、炊飯開始ボタンなどの複数のボタンで構成されている。ユーザは、表示部３の表示内容を参照しつつ、操作部４にて特定の炊飯コースを選択し、炊飯開始を指示することができる。
【００２８】
また、蓋体２の上面には、炊飯器本体１の内部に収納される鍋５内の空間と連通し、当該空間から発生する蒸気を外部に放出するための蒸気筒６が設けられている。
【００２９】
蓋体２は、図２に示すように、炊飯器本体１の後部上方（図２の左上側）に配置されたヒンジ軸Ｒ１に回動自在に取り付けられ、当該ヒンジ軸Ｒ１を中心として回動することにより、炊飯器本体１の上面開口部を開閉自在に覆うように構成されている。また、蓋体２は、炊飯器本体１の前部上方（図２の右上側）に係合可能に構成されている。蓋体２は、図１に示すように蓋体２の前部上方に設けられた開ボタン７が押圧されることで、炊飯器本体１の前部上方との係合が解除され、炊飯器本体１の上面開口部を開放するようにヒンジ軸Ｒ１を中心として回動する。
【００３０】
蓋体２の内部には、鍋５内の圧力を調整する圧力調整機構（図示せず）が設けられている。圧力調整機構については公知の構造であるので、ここでは説明を省略する。
【００３１】
炊飯器本体１の内部には、図２に示すように、鍋５を着脱自在に収納する有底筒状の鍋収納部８が形成されている。鍋５は、調理物を収容するものである。例えば、鍋５には、米と水とを含む調理物が入れられる。鍋収納部８は、保護枠（コイルベースともいう）９と上枠１０とで構成されている。
【００３２】
保護枠９は、鍋５を収納する部分であり、鍋５の形状に対応して有底筒状に形成されている。また、保護枠９は、鍋５の外周面に対して所定の隙間が空くように、鍋５よりも少し大きく形成されている。また、保護枠９は、耐熱性を有する樹脂で構成され、上枠１０よりも高剛性を有する部材である。
【００３３】
保護枠９の外周面には、鍋５の外周面と対向するように配置されて鍋５を誘導加熱する加熱装置１１が配置されている。加熱装置１１は、リング状の底内コイル１１ａと、リング状の底外コイル１１ｂとを備えている。底内コイル１１ａは、保護枠９を介して鍋５の底部の中央部周囲に対向するように配置されている。底外コイル１１ｂは、保護枠９を介して鍋５の側底部（コーナー部）と対向するように配置されている。
【００３４】
保護枠９の底部の中央部分には、開口部９ｂが設けられている。開口部９ｂには、鍋５の温度を測定するための鍋温度センサ１２が、鍋収納部８に収納された鍋５の底部に当接可能に配置される。鍋５の温度は鍋５内の調理物の温度と略同じであるので、鍋温度センサ１２が鍋５の温度を検知することで、鍋５内の調理物の温度を検知することができる。
【００３５】
図３は、本実施形態に係る炊飯器の蓋体２が炊飯器本体１の上面開口部を開放する開位置に位置する状態を前方斜め上方から見た斜視図である。図３に示すように、上枠１０は、環状に形成され、炊飯器本体１の上面開口部を形成する上端部１ａから内方へ向かう平面を有するように形成されている。上枠１０の内周部１０ａは、図２に示すように、保護枠９の上端部９ａに取り付けられている。すなわち、上枠１０は、図３に示すように、保護枠９の上面開口部と炊飯器本体１の上面開口部との間を覆うように設けられている。
【００３６】
炊飯器本体１と鍋収納部８とで囲まれた空間には、図２に示すように、加熱装置１１の加熱動作を制御する制御装置１３が搭載されている。制御装置１３は、操作部４に入力された情報と鍋温度センサ１２の検知温度とに基づいて、加熱装置１１の加熱量（通電率、加熱温度、加熱時間、又は加熱出力）を制御し、炊飯工程を行う。また、制御装置１３は、別途設けられた計時部（図示せず）により炊飯工程中の各工程（予熱、昇温、沸騰維持、蒸らし）の所要時間も制御する。
【００３７】
制御装置１３は、加熱装置１１の加熱動作を制御する電子部品１４が実装された制御基板１５を備えている。制御基板１５は、炊飯器本体１の後部の内部に設けられている。制御基板１５は、略矩形板状に形成され、垂直方向に延在するように配置されている。制御基板１５の下端部には、電子部品１４を冷却するためのヒートシンク１６が取り付けられている。ヒートシンク１６は、例えば、アルミニウムにより構成されている。ヒートシンク１６の下方には、冷却風を送風する冷却ファン１７が取り付けられている。
【００３８】
次に、ヒンジ軸Ｒ１の近傍部分の構造についてより具体的に説明する。図４は、本実施形態に係る炊飯器を後方斜め上方から見た分解斜視図である。
【００３９】
図３及び図４に示すように、上枠１０の後部（図３の右上側）には、ヒンジ部Ｈ１が配置されている。本実施形態において、ヒンジ部Ｈ１は、上枠１０の上面後部から上方へ突出し、図２に示すように上枠１０の後部上方に配置されたヒンジ軸Ｒ１の両端部を回動自在に保持するように構成されている。ヒンジ部Ｈ１は、樹脂により構成されている。ヒンジ部Ｈ１は、図２及び図４に示すように、外部に露出しないようにカバー１８によって覆われている。
【００４０】
また、ヒンジ軸Ｒ１（図２参照）の周囲には、閉位置（図１参照）から開位置（図３参照）へ蓋体２が回動するように付勢する付勢部材１９が設けられている。付勢部材１９は、例えば、ねじりコイルばねである。本実施形態において、付勢部材１９は、ヒンジ軸Ｒ１の中間部を挟んで２つ設けられている。これにより、ヒンジ軸Ｒ１にかかるトルクが大きくなっている。
【００４１】
ヒンジ軸Ｒ１の中間部の近傍には、蓋体２が閉位置（図１参照）から開位置（図３参照）へ回動する動作に連動して移動する移動部材２０が配置されている。移動部材２０は、ヒンジ軸Ｒ１よりも上枠１０の後部に配置されている。
【００４２】
図５は、移動部材２０の近傍の構成を示す拡大斜視図である。図５に示すように、移動部材２０は、円柱形の棒体を略Ｕ字状に折り曲げることにより構成されている。移動部材２０の一端部２０ａと他端部２０ｂとは、互いに近づくように折り曲げられている。移動部材２０の一端部２０ａは、移動部材保持部２１に設けられた切欠部２１ａに係合している。移動部材２０の他端部２０ｂは、移動部材保持部２１に設けられた貫通穴２１ｂに挿入されている。これにより、移動部材２０は、移動部材保持部２１に保持されている。
【００４３】
移動部材保持部２１は、蓋体２に取り付けられるとともに、ヒンジ軸Ｒ１の中間部に取り付けられている。ヒンジ軸Ｒ１は、移動部材保持部２１に設けられた２つの貫通穴２１ｃ，２１ｄに挿入され、中間部を移動部材保持部２１に回転可能に保持されている。移動部材保持部２１は、所定の形状の金属板を折り曲げ加工や穴開け加工等することにより構成されている。
【００４４】
本実施形態において、移動部材２０は、蓋体２が閉位置（図１参照）から開位置（図３参照）へ回動する動作に連動して下方に移動するように構成されている。移動部材２０の下方には、制動部材２２が配置されている。すなわち、制動部材２２は、移動部材２０の移動経路上に配置されている。制動部材２２は、移動部材２０に接触して、移動部材２０の移動力を減衰させる部材である。
【００４５】
図６は、制動部材２２と、当該制動部材２２を収容する制動部材収容部２３ａを有する収容ケース２３とを示す斜視図である。制動部材２０は、内部に非圧縮性流体を有し、当該非圧縮性流体の流体抵抗を利用して移動部材２０の移動を制動するように構成されている。制動部材２２は、例えば、オイルダンパである。制動部材２２は、図６に示すように、筒体２２ａと、当該筒体２２ａ内を移動可能なピストンロッド２２ｂとを備えている。筒体２２ａの内部には、非圧縮性流体が充填されている。筒体２２ａの内部に位置するピストンロッド２２ｂの一端部には、円板状のピストン（図示せず）が取り付けられている。筒体２２ａの内部をピストンロッド２２ｂが進退移動することにより、非圧縮性流体がピストンに設けられたオリフィスを通過し、流体抵抗が発生する。この流体抵抗が移動部材２０の移動を減衰する減衰力となる。なお、制動部材２２は、この構造に限定されるものではなく、種々の構造を採用可能である。
【００４６】
収容ケース２３は、図２に示すように、炊飯器本体１の後部の内面と制御基板１５との間に配置されている。収容ケース２３の制動部材収容部２３ａは、有底筒状に形成されている。制動部材収容部２３ａには、非圧縮性流体が制動部材２３の外部に漏れ出した際に、当該非圧縮性流体が制御基板１５に付着しないように、非圧縮性流体を炊飯器本体１の後部の内面側へ誘導する誘導路２３ｂが形成されている。
【００４７】
収容ケース２３は、図７に示すように、ヒンジ補強部材２４に取り付けられる。本実施形態において、収容ケース２３は、収容ケース２３に設けられた２つのねじ穴２３ｃとヒンジ補強部材２４に設けられた２つのねじ穴２４ａとを通じて２つのねじ２５がねじ込まれることにより、ヒンジ補強部材２４の内面に取り付けられる。
【００４８】
ヒンジ補強部材２４は、ヒンジ部Ｈ１よりも剛性の高い金属材料で構成され、ヒンジ部Ｈ１を補強するものである。ヒンジ補強部材２４は、所定の形状の金属板を折り曲げ加工や穴開け加工等することにより構成されている。ヒンジ補強部材２４には、移動部材２０を制動部材２２へガイドするガイド部２４ｂが形成されている。移動部材２０は、ガイド部２４ｂに沿って下方に移動することにより、制動部材２２に接触して制動される。また、ヒンジ補強部材２４は、制動部材収容部２３ａを下方から支持する補強突起部２４ｃを有している。補強突起部２４ｃは、ヒンジ補強部材２４の鉛直方向に延在する主面に対して直交し、水平方向に延在するように設けられている。補強突起部２４ｃが制動部材収容部２３ａを下方から支持することにより、制動部材収容部２３ａの変形が抑えられる。
【００４９】
図８は、ヒンジカバー１８を内面側から見た斜視図である。図８に示すように、ヒンジカバー１８の中央部には、ねじ穴１８ａが設けられている。ヒンジカバー１８は、ねじ穴１８ａを通じて炊飯器本体１に設けられたねじ穴にねじ２６（図５参照）がねじ込まれることにより、炊飯器本体１に取り付けられる。
【００５０】
また、ヒンジカバー１８には、ねじ穴１８ａの下方に突起部１８ｂが設けられている。ヒンジカバー１８が炊飯器本体１に取り付けられた状態において、突起部１８ｂは、下方に移動する移動部材２０がガイド部２４ｂの上端部に接触せずガイド部２４ｂの内面に沿って移動するように、ガイドするように設けられている。
【００５１】
図９Ａ〜図９Ｃは、蓋体２が閉位置から開位置へ回動する動作に連動して、移動部材２０が下方に移動する様子を示す斜視図である。図１０Ａ〜図１０Ｃは、蓋体２が閉位置から開位置へ回動する動作に連動して、移動部材２０が下方に移動する様子を示す一部拡大断面図である。図９Ａ及び図１０Ａは、蓋体２が閉位置に位置する状態を示している。図９Ｂ及び図１０Ｂは、蓋体２が閉位置と開位置との中間に位置する状態を示している。図９Ｃ及び図１０Ｃは、蓋体２が開位置に位置する状態を示している。なお、図９Ａ〜図９Ｃにおいては、移動部材２０の移動を見やすくするため、ヒンジカバー１８及びヒンジ補強部材２４の図示を省略している。
【００５２】
図９Ａ及び図１０Ａに示すように、蓋体２が閉位置に位置するとき、移動部材２０は、制動部材２２に対して上方に離れた位置に位置している。すなわち、移動部材２０と制動部材２２とは接触してない。
【００５３】
図９Ｂ及び図１０Ｂに示すように、蓋体２が閉位置から開位置に向かって第１の角度回動されたとき、移動部材２０が制動部材２２と接触する。「第１の角度」が小さすぎると、移動部材２０と制動部材２２とが接触してから開位置まで移動するストロークが長くなり、蓋体２が開位置に移動するまでに要する時間が長くなる。また、制動部材２２により蓋体２が閉位置と開位置との間で停止することが起こり得る。また、移動部材２０が下方に移動する距離も長くなり、移動部材２０が移動する広いスペースが必要になる。一方、「第１の角度」が大きすぎると、蓋体２の回動によるトルクを制動部材２２が十分に減衰させることができず、炊飯器本体１が転倒することが起こり得る。このため、「第１の角度」は、２０度以上７０度以下の範囲内の角度であることが好ましく、３０度以上６５度以下の範囲内の角度であることがより好ましい。本実施形態において、「第１の角度」は６０度としている。
【００５４】
図９Ｃ及び図１０Ｃに示すように、蓋体２が開位置に位置するとき、移動部材２０は、制動部材２２を下方に押す。これにより、ピストンロッド２２ｂが筒体２２ａの内部に侵入する長さが長くなり、制動部材２２の制動力が増加する。その結果、蓋体２の回動をより確実に停止させることができる。
【００５５】
また、本実施形態において、移動部材２０は、蓋体２が開位置から閉位置に向かって第２の角度回動されたとき、制動部材２２から離れるように構成されている。移動部材２０と制動部材２２とが接触した状態では、制動部材２２の制動力は蓋体２を閉位置に移動させるのを補助するように機能する。このため、移動部材２０と制動部材２２とが接触する期間が長くなるように、「第２の角度」は大きくすることが好ましい。一方、移動部材２０と制動部材２２とが接触する期間が長すぎると、使用者は、制動部材２２の制動力を逆に抵抗として感じるようになる。このため、「第２の角度」は、２０度以上７０以下の範囲内の角度であることが好ましく、２５度以上６０度以下の範囲内の角度であることがより好ましい。本実施形態において、「第２の角度」は３０度としている。
【００５６】
本実施形態に係る炊飯器によれば、ヒンジ軸Ｒ１よりも後方に離れた位置に、蓋体２が閉位置から開位置へ回動する動作に連動して移動する移動部材２０を設け、移動部材２０の移動経路上に制動部材２２を配置するように構成している。すなわち、ヒンジ軸Ｒ１にかかるトルクを制動部材２２が直接受けるのではなく、ヒンジ軸Ｒ１にかかるトルクを制動部材２２がヒンジ軸Ｒ１から離れた位置で間接的に受けるように構成している。この構成によれば、より小さい制動力で蓋体２の回動を制動することができるので、付勢部材１９の付勢力を大きくした場合であっても、蓋体２の回動をより確実に制動することができる。また、制動部材２２の構成をより簡素化するとともにより小型化することができる。
【００５７】
また、本実施形態に係る炊飯器によれば、移動部材２０を保持する移動部材保持部２１が、蓋体２に取り付けられるとともにヒンジ軸Ｒ１の中間部に取り付けられている。この構成によれば、蓋体２の回動をヒンジ軸Ｒ１の中間部の近傍で制動することができるので、移動部材保持部２１の右側と左側とで蓋体２の回動を制動する制動力にバラツキが生じることを抑えることができる。また、移動部材保持部２１を蓋体２とヒンジ軸Ｒ１の中間部の２箇所に取り付けることにより、移動部材保持部２１の強度を向上させることができる。これにより、蓋体２の回動時にかかる負荷によって、移動部材保持部２１及び移動部材２０が変形することを抑えることができる。
【００５８】
また、本実施形態に係る炊飯器によれば、制動部材２２が内部に非圧縮性流体を有し、当該非圧縮性流体の流体抵抗を利用して移動部材２０の移動を制動するように構成されている。また、制動部材収容部２３ａには、非圧縮性流体が制動部材２３の外部に漏れ出した際に、非圧縮性流体を炊飯器本体１の後部の内面側へ誘導する誘導路２３ｂが形成されている。この構成によれば、制動部材２３の外部に漏れ出した非圧縮性流体が制御基板１５に付着することを抑えることができる。なお、誘導路２３ｂは、斜め下方に傾斜するように構成されることが好ましい。これにより、非圧縮性流体が誘導路２３ｂ内に溜まることを抑えて、非圧縮性流体を誘導路２３ｂからより確実に排出することができる。
【００５９】
また、本実施形態に係る炊飯器によれば、収容ケース２３が高剛性を有するヒンジ補強部材２４に取り付けられ、当該ヒンジ補強部材２４のガイド部２４ｂによって、移動部材２０を制動部材２２へガイドするように構成されている。この構成によれば、蓋体２の回動時にかかる負荷によって、収容ケース２３が変形することを抑えることができる。また、移動部材２０を制動部材２２へより確実にガイドすることができる。
【００６０】
また、本実施形態に係る炊飯器によれば、高剛性を有するヒンジ補強部材２４の補強突起部２４ｃによって、制動部材収容部２３ａを下方から支持するように構成している。この構成によれば、蓋体２の回動時にかかる負荷によって、制動部材収容部２３ａが変形することを抑えることができる。
【００６１】
なお、本発明は前記実施形態に限定されるものではなく、その他種々の態様で実施できる。例えば、前記では、移動部材２０は、円柱形の棒体を略Ｕ字状に折り曲げることにより構成されるものとしたが、本発明はこれに限定されない。移動部材２０は、例えば、略Ｔ字状の部材であってもよい。
【００６２】
また、前記では、蓋体２が閉位置から開位置へ回動する動作に連動して移動部材２０が下方に移動し、当該移動部材２０に接触するように、制動部材２２を移動部材２０の下方に配置したが、本発明はこれに限定されない。例えば、図１１に示すように、蓋体２の後部に突起部２０Ａを設け、この突起部２０Ａを移動部材としてもよい。この場合、蓋体２の回動動作に連動して突起部２０Ａがヒンジ軸Ｒ１を中心として回動するので、制動部材２０は、突起部２０Ａの回動経路上に配置すればよい。例えば、制動部材２０は、図１２に示すように、ヒンジ軸Ｒ１の下方に配置されてもよい。
【００６３】
また、前記では、突起部２０Ａと制動部材２２とが直接接触するように構成したが、本発明はこれに限定されない。例えば、図１３に示すように、突起部２０Ａと制動部材２２とが、緩衝部材３０を介して間接的に接触するように構成されてもよい。これにより、例えば、突起部２０Ａと制動部材２２とを樹脂で構成した場合であっても、両者が接触することにより摩耗することを抑えることができる。なお、緩衝部材３０は、突起部２０Ａに一体的に設けられてもよいし、制動部材２２に一体的に設けられてもよい。
【００６４】
また、前記では、移動部材２０がヒンジ軸Ｒ１よりも上枠１０の後部に配置されるものとしたが、本発明はこれに限定されない。例えば、移動部材２０は、ヒンジ軸Ｒ１よりも上枠１０の前部に配置されてもよい。この場合、蓋体２が閉位置から開位置へ回動する動作に連動して移動部材２０が上方に移動することになる。このため、制動部材２０は、例えば、移動部材２０によって上方に引っ張られたとき、移動部材２０の移動を制動するように設けられてもよい。
【産業上の利用可能性】
【００６５】
本発明に炊飯器によれば、蓋体の回動をより確実に制動することができるので、特に、圧力式炊飯器など、蓋体の重力が重い炊飯器に有用である。
【符号の説明】
【００６６】
１    炊飯器本体
１ａ  上端部
２    蓋体
３    表示部
４    操作部
５    鍋
６    蒸気筒
７    開ボタン
８    鍋収納部
９    保護枠
９ａ  上端部
９ｂ  開口部
１０    上枠
１０ａ  内周部
１１    加熱装置
１１ａ  底内コイル
１１ｂ  底外コイル
１２    鍋温度センサ
１３    制御装置
１４    電子部品
１５    制御基板
１６    ヒートシンク
１７    冷却ファン
１８    ヒンジカバー
１８ａ  ねじ穴
１８ｂ  突起部
１９    付勢部材
２０    移動部材
２０ａ  一端部
２０Ａ  突起部
２０ｂ  他端部
２１    移動部材保持部
２１ａ  切欠部
２１ｂ，２１ｃ，２１ｄ  貫通孔
２２    制動部材
２２ａ  筒体
２２ｂ  ピストンロッド
２３    収容ケース
２３ａ  制動部材収容部
２３ｂ  誘導路
２３ｃ  ねじ穴
２４    ヒンジ補強部材
２４ａ  ねじ穴
２４ｂ  ガイド部
２４ｃ  補強突起部
２５，２６  ねじ
３０    緩衝部材
Ｈ１    ヒンジ部
Ｒ１    ヒンジ軸
【図１】
2018033608.tif 000003
【図２】
2018033608.tif 000004
【図３】
2018033608.tif 000005
【図４】
2018033608.tif 000006
【図５】
2018033608.tif 000007
【図６】
2018033608.tif 000008
【図７】
2018033608.tif 000009
【図８】
2018033608.tif 000010
【図９Ａ】
2018033608.tif 000011
【図９Ｂ】
2018033608.tif 000012
【図９Ｃ】
2018033608.tif 000013
【図１０Ａ】
2018033608.tif 000014
【図１０Ｂ】
2018033608.tif 000015
【図１０Ｃ】
2018033608.tif 000016
【図１１】
2018033608.tif 000017
【図１２】
2018033608.tif 000018
【図１３】
2018033608.tif 000019